(57)【要約】【課題】ユーザに充電モードの意味を容易に理解させることができ、充電モードの切り替え機能をユーザに有効活用させること。【解決手段】メインプロセッサ１２が、バッテリー１５を予め設定された最大量まで充電する最大充電モード、または、バッテリー１５の充電量を上記最大量未満に制限する制限充電モードの選択を受け付け、表示制御部１３が、メインプロセッサ１２により選択が受け付けられた充電モードが最大充電モードか、あるいは、制限充電モードかに応じて、バッテリー１５の残量表示の表示態様を変更する。【選択図】図１
2013243833.tif 000002
【特許請求の範囲】
【請求項１】
バッテリーから電力供給を受けて動作する電子機器であって、
前記バッテリーを予め設定された最大量まで充電する最大充電モード、または、前記バッテリーの充電量を前記最大量未満に制限する制限充電モードの選択を受け付ける選択受付部と、
該選択受付部により選択が受け付けられた充電モードが最大充電モードか、あるいは、制限充電モードかに応じて、前記バッテリーの残量表示の表示態様を変更する表示制御部と、
を備えることを特徴とする電子機器。
【請求項２】
前記表示制御部は、前記充電モードが最大充電モードである場合に、前記表示態様を、該充電モードが制限充電モードである場合よりも前記残量表示が大きく表示される表示態様に設定することを特徴とする請求項１に記載の電子機器。
【請求項３】
前記表示制御部は、前記充電モードが最大充電モードであって、前記バッテリーからの電力供給が所定の時間以上なされていない場合に、前記制限充電モードへの変更を促す情報を表示するよう制御することを特徴とする請求項１または２に記載の電子機器。
【請求項４】
前記表示制御部は、前記電力供給が連続して所定の時間以上なされていない場合に、前記制限充電モードへの変更を促す情報を表示するよう制御することを特徴とする請求項３に記載の電子機器。
【請求項５】
前記表示制御部は、前記充電モードが制限充電モードであって、前記バッテリーからの電力供給が所定の時間以上なされている場合に、前記最大充電モードへの変更を促す情報を表示するよう制御することを特徴とする請求項１〜４のいずれか１項に記載の電子機器。
【請求項６】
前記表示制御部は、前記バッテリーからの電力供給が連続して所定の時間以上なされている場合に、前記最大充電モードへの変更を促す情報を表示するよう制御することを特徴とする請求項５に記載の電子機器。
【発明の詳細な説明】
【技術分野】
【０００１】
本発明は、バッテリーから電力供給を受けて動作する電子機器に関する。
【背景技術】
【０００２】
近年、電源がない場所でも楽しめるバッテリー付きのテレビが一般的なものとなっている。バッテリーは、時間の経過とともに劣化するが、その劣化の進行具合はバッテリーの充電状態によって変化する。
【０００３】
例えば、バッテリーを満充電すると劣化の進行が早くなることが知られている。一方、バッテリーの充電量を満充電未満にしておくと、劣化の進行を抑えることができるが、バッテリー駆動でテレビを連続使用できる時間が短くなる。
【０００４】
バッテリーの劣化を抑制しつつ、機器の使用時間を長くする技術として、特許文献１に、充電する際の電圧を切り替え可能な充電回路が開示されている。この充電回路では、バッテリーの充電時の電圧が第１の電圧に設定されるが（長寿命モード）、充電量を一時的に増やす必要がある場合には第１の電圧よりも大きい第２の電圧でバッテリーが充電される（高容量モード）。
【先行技術文献】
【特許文献】
【０００５】
【特許文献１】特開２００２−７８２２２号公報
【発明の概要】
【発明が解決しようとする課題】
【０００６】
しかしながら、特許文献１の従来技術では、バッテリーの劣化特性や充電モードの意味を一般のユーザに理解させることは難しく、充電モードを設けてもそれをユーザが有効に活用できるとは言い難い。
【０００７】
本発明は、上記実情に鑑み、ユーザに充電モードの意味を容易に理解させることができ、充電モードの切り替え機能をユーザに有効活用させることが可能な電子機器を提供することを目的とする。
【課題を解決するための手段】
【０００８】
上記課題を解決する為に、本発明の第１の技術手段は、バッテリーから電力供給を受けて動作する電子機器であって、前記バッテリーを予め設定された最大量まで充電する最大充電モード、または、前記バッテリーの充電量を前記最大量未満に制限する制限充電モードの選択を受け付ける選択受付部と、該選択受付部により選択が受け付けられた充電モードが最大充電モードか、あるいは、制限充電モードかに応じて、前記バッテリーの残量表示の表示態様を変更する表示制御部と、を備えることを特徴とする。
【０００９】
本発明の第２の技術手段は、第１の技術手段において、前記表示制御部は、前記充電モードが最大充電モードである場合に、前記表示態様を、該充電モードが制限充電モードである場合よりも前記残量表示が大きく表示される表示態様に設定することを特徴とする。
【００１０】
本発明の第３の技術手段は、第１または第２の技術手段において、前記表示制御部は、前記充電モードが最大充電モードであって、前記バッテリーからの電力供給が所定の時間以上なされていない場合に、前記制限充電モードへの変更を促す情報を表示するよう制御することを特徴とする。
【００１１】
本発明の第４の技術手段は、第３の技術手段において、前記表示制御部は、前記電力供給が連続して所定の時間以上なされていない場合に、前記制限充電モードへの変更を促す情報を表示するよう制御することを特徴とする。
【００１２】
本発明の第５の技術手段は、第１〜第４のいずれかの技術手段において、前記表示制御部は、前記充電モードが制限充電モードであって、前記バッテリーからの電力供給が所定の時間以上なされている場合に、前記最大充電モードへの変更を促す情報を表示するよう制御することを特徴とする。
【００１３】
本発明の第６の技術手段は、第５の技術手段において、前記表示制御部は、前記バッテリーからの電力供給が連続して所定の時間以上なされている場合に、前記最大充電モードへの変更を促す情報を表示するよう制御することを特徴とする。
【発明の効果】
【００１４】
本発明によれば、バッテリーを予め設定された最大量まで充電する最大充電モード、または、バッテリーの充電量を上記最大量未満に制限する制限充電モードの選択を受け付け、選択が受け付けられた充電モードが最大充電モードか、あるいは、制限充電モードかに応じて、バッテリーの残量表示の表示態様を変更することとしたので、ユーザに充電モードの意味を容易に理解させることができ、充電モードの切り替え機能をユーザに有効活用させることができるようになる。
【図面の簡単な説明】
【００１５】
【図１】本発明の実施形態に係る表示装置の一例を示す図である。
【図２】バッテリーの残量表示の表示態様について説明する図である。
【図３】バッテリーの充電モードの選択を受け付ける充電モード選択受付画面の一例を示す図である。
【図４】本発明の実施形態に係るバッテリー残量表示処理の処理手順の一例を示すフローチャートである。
【発明を実施するための形態】
【００１６】
以下、本発明の実施形態について図面を参照して詳細に説明する。図１は、本発明の実施形態に係る表示装置１０の一例を示す図である。この表示装置１０は、バッテリー１５から電力供給を受けて動作する液晶テレビなどの装置である。なお、ここでは、本発明を表示装置１０に適用した場合について説明するが、これに限定されるものではなく、本発明は、パーソナルコンピュータやスマートフォンなど、バッテリーから電力供給を受けて動作する他の電子機器にも同様に適用することができる。
【００１７】
表示装置１０は、タイマー１１、メインプロセッサ１２、表示制御部１３、表示部１４、バッテリー１５、電源回路１６、保護素子１７、スイッチング素子１８、コントロール回路１９、保護回路２０、残量演算回路２１、充電電圧設定部２２を備える。
【００１８】
タイマー１１は、バッテリー１５が表示装置１０に電力を供給する時間を計測する処理部である。特に、タイマー１１は、バッテリー１５が表示装置１０に電力を連続して供給する時間を計測する。メインプロセッサ１２は、各種の演算・制御処理を実行する制御デバイスである。
【００１９】
例えば、メインプロセッサ１２は、表示装置１０のリモートコントローラ（図示せず）を操作してユーザがバッテリー１５の充電モードの変更を指示した場合に、その指示を受け付け、その指示に従ってバッテリー１５の充電モードを設定する。メインプロセッサ１２は、本発明における選択受付部に相当する。後に詳しく説明するが、バッテリー１５の充電モードには、長時間駆動モードと劣化軽減モードがある。
【００２０】
長時間駆動モードとは、バッテリー１５を予め設定された最大量まで充電する最大充電モードである。この最大量は、バッテリー１５の充電可能な最大量であってもよいし、充電可能な最大量よりも少なくてもよい。長時間駆動モードは、ユーザが表示装置１０を長時間使用したい場合に適した充電モードである。長期間駆動モードは、本発明における最大充電モードに相当する。
【００２１】
また、劣化軽減モードとは、バッテリー１５の充電量を上記予め設定された最大量未満に制限する制限充電モードである。劣化軽減モードは、ユーザがバッテリー１５の劣化を抑制したい場合に適した充電モードである。劣化軽減モードは、本発明における制限充電モードに相当する。
【００２２】
また、メインプロセッサ１２は、バッテリー１５が連続して電力を供給した時間の情報をタイマー１１から取得し、その時間が所定の時間以上であるか否かを判定する。その時間が所定の時間以上であり、かつ、その時点での充電モードが劣化制限モードである場合、メインプロセッサ１２は、長時間駆動モードへの変更を促す情報の表示指示を表示制御部１３に出力する。
【００２３】
この指示を受けた表示制御部１３は、表示部１４を制御して、表示部１４に長時間駆動モードへの変更を促す情報を表示させる。長時間駆動モードへの変更を促す情報とは、例えば、「長時間駆動モードへの変更をお勧めします。」というメッセージなどである。これにより、より適切な充電モードをユーザが容易に選択できるようになる。
【００２４】
また、バッテリー１５が連続して電力を供給した時間が所定の時間以上でなく、かつ、その時点での充電モードが長時間駆動モードである場合、メインプロセッサ１２は、劣化軽減モードへの変更を促す情報の表示指示を表示制御部１３に出力する。
【００２５】
この指示を受けた表示制御部１３は、表示部１４を制御して、表示部１４に劣化軽減モードへの変更を促す情報を表示させる。劣化軽減モードへの変更を促す情報とは、例えば、「劣化軽減モードへの変更をお勧めします。」というメッセージなどである。これにより、より適切な充電モードをユーザが容易に選択できるようになる。
【００２６】
表示制御部１３は、表示部１４における表示処理を制御する処理部である。例えば、表示制御部１３は、表示部１４を制御して、上述したメッセージを表示部１４に表示させる。また、表示制御部１３は、表示部１４にバッテリー１５の残量表示を実行させる。その際、表示制御部１３は、ユーザにより選択された充電モードに応じて、バッテリーの残量表示の表示態様を変更する。
【００２７】
図２は、バッテリー１５の残量表示の表示態様について説明する図である。図２（Ａ）には、ユーザにより長時間駆動モードが選択された場合のバッテリー１５の残量を表示するアイコン３０が、図２（Ｂ）には、ユーザにより劣化軽減モードが選択された場合のバッテリー１５の残量を表示するアイコン３１が示されている。
【００２８】
図２（Ａ）に示すアイコン３０は、図２（Ｂ）に示すアイコン３１よりも大きく表示される。これにより、長時間駆動モードでバッテリー１５を充電した場合は、劣化軽減モードでバッテリー１５を充電した場合よりも表示装置１０を長時間駆動できることをユーザが直感的に把握することができる。
【００２９】
図３は、バッテリー１５の充電モードの選択を受け付ける充電モード選択受付画面４０の一例を示す図である。充電モード選択受付画面４０には、長時間駆動モード、劣化軽減モードの詳細な説明と、図２に示したアイコン３０、３１と同様の図形が表示される。これにより、ユーザは、各充電モードの意味を容易に把握することができる。
【００３０】
表示部１４は、液晶ディスプレイなどの表示デバイスである。バッテリー１５は、リチウムイオンバッテリーなどのバッテリーである。電源回路１６は、交流電力を直流電力に変換し、直流電力を表示装置１０の各部に供給する回路である。
【００３１】
保護素子１７は、バッテリー１５に異常な電流が流れた場合に溶断して電流を遮断するヒューズなどの素子である。スイッチング素子１８は、バッテリー１５の充電量を制御する素子である。
【００３２】
例えば、バッテリー１５の電圧が設定電圧よりも低い場合は、スイッチング素子１８はオンとなり、バッテリー１５への充電が行われる。バッテリー１５の電圧が設定電圧まで到達すると、スイッチング素子１８はオフとなり、バッテリー１５への充電は終了する。
【００３３】
コントロール回路１９は、バッテリー１５の電圧と設定電圧とを比較して、バッテリー１５の電圧が設定電圧よりも低い場合はスイッチング素子１８をオンにし、バッテリー１５の電圧が設定電圧まで到達するとスイッチング素子１８をオフにする回路である。
【００３４】
また、コントロール回路１９は、残量演算回路２１により演算されたバッテリー１５の残量の情報をメインプロセッサ１２に出力する。表示制御部１３は、この情報に基づいて、バッテリー１５の残量表示を実行する。
【００３５】
保護回路２０は、バッテリー１５に異常な電流が流れた場合にそれを検出し、保護素子１７を溶断して電流を遮断する回路である。残量演算回路２１は、バッテリー１５の充電電流とバッテリー１５の放電電流とを積算することにより、バッテリー１５の残量を演算する回路である。
【００３６】
充電電圧設定部２２は、ユーザにより選択された充電モードに応じて、充電を終了するバッテリー１５の電圧を設定する処理部である。例えば、長時間駆動モードが選択された場合、充電電圧設定部２２は、充電を終了するバッテリー１５の電圧を、劣化軽減モードが選択された場合のバッテリー１５の電圧よりも大きな電圧に設定する。
【００３７】
これにより、長時間駆動モードにおいては、バッテリー１５があらかじめ設定された最大量まで充電され、劣化軽減モードにおいては、その最大量未満の所定の充電量までバッテリー１５が充電される。
【００３８】
つぎに、本発明の実施形態に係るバッテリー残量表示処理の処理手順について説明する。図４は、本発明の実施形態に係るバッテリー残量表示処理の処理手順の一例を示すフローチャートである。
【００３９】
まず、表示装置１０のメインプロセッサ１２は、充電モードの選択をユーザから受け付ける（ステップＳ１０１）。例えば、メインプロセッサ１２は、図３に示した充電モード選択受付画面４０において、ユーザのリモートコントローラの操作により充電モードの選択を受け付ける。この処理は、例えば、表示装置１０の電源を最初に入れた時に行われることとしてもよいし、ユーザから充電モードの変更要求を受け付けた場合に行われることとしてもよい。
【００４０】
続いて、表示制御部１３は、メインプロセッサ１２が受け付けた充電モードに応じて、図２に示した長時間駆動モードを示すアイコン３０、または、劣化軽減モードを示すアイコン３１のいずれかを表示部１４に表示させる（ステップＳ１０２）。
【００４１】
そして、タイマー１１は、バッテリー１５が表示装置１０に電力を連続して供給する時間の計測を開始する（ステップＳ１０３）。その後、メインプロセッサ１２は、表示装置１０の電源をオフにする指示をユーザから受け付けたか否かを判定する（ステップＳ１０４）。
【００４２】
電源をオフにする指示を受け付けた場合（ステップＳ１０４においてＹＥＳの場合）、そのままこのバッテリー残量表示処理は終了する。電源をオフにする指示を受け付けていない場合（ステップＳ１０４においてＮＯの場合）、メインプロセッサ１２は、バッテリー１５からの表示装置１０に対する電力供給が連続して所定の時間以上なされているか否かを判定する（ステップＳ１０５）。
【００４３】
上記電力供給が連続して所定の時間以上なされていると判定された場合（ステップＳ１０５においてＹＥＳの場合）、メインプロセッサ１２は、その時点での充電モードが劣化軽減モードであるか否かを判定する（ステップＳ１０６）。
【００４４】
充電モードが劣化軽減モードである場合（ステップＳ１０６においてＹＥＳの場合）、表示制御部１３は、長時間駆動モードへの変更を促す情報を表示部１４に表示させる（ステップＳ１０７）。充電モードが劣化軽減モードでない場合（ステップＳ１０６においてＮＯの場合）、ステップＳ１０４以降の処理が再度実行される。
【００４５】
ステップＳ１０５において、電力供給が連続して所定の時間以上なされていないと判定された場合（ステップＳ１０５においてＮＯの場合）、メインプロセッサ１２は、その時点での充電モードが長時間駆動モードであるか否かを判定する（ステップＳ１０８）。
【００４６】
充電モードが長時間駆動モードである場合（ステップＳ１０８においてＮＯの場合）、表示制御部１３は、劣化軽減モードへの変更を促す情報を表示部１４に表示させる（ステップＳ１０９）。充電モードが長時間駆動モードでない場合（ステップＳ１０８においてＮＯの場合）、ステップＳ１０４以降の処理が再度実行される。
【００４７】
ステップＳ１０７またはステップＳ１０９の処理の後、メインプロセッサ１２は、充電モードの変更要求をユーザから受け付けたか否かを判定する（ステップＳ１１０）。メインプロセッサ１２が充電モードの変更要求をユーザから受け付けた場合（ステップＳ１１０においてＹＥＳの場合）、ステップＳ１０１以降の処理が再度実行される。
【００４８】
充電モードの変更要求をユーザから受け付けていない場合（ステップＳ１１０においてＮＯの場合）、メインプロセッサ１２は、表示装置１０の電源をオフにする指示をユーザから受け付けたか否かを判定する（ステップＳ１１１）。
【００４９】
電源をオフにする指示を受け付けていない場合（ステップＳ１１１においてＮＯの場合）、ステップＳ１０３以降の処理が再度実行される。電源をオフにする指示を受け付けた場合（ステップＳ１１１においてＹＥＳの場合）、そのままこのバッテリー残量表示処理は終了する。
【００５０】
なお、上記バッテリー残量表示処理では、バッテリーからの電力供給が連続して所定の時間以上なされていると判定され、かつ、充電モードが劣化軽減モードである場合に、長時間駆動モードへの変更を促す情報を表示することしたが、バッテリーからの電力供給が連続して行われていなくとも、所定の時間以上行われていると判定され、かつ、充電モードが劣化軽減モードであれば、長時間駆動モードへの変更を促す情報を表示することとしてもよい。
【００５１】
また、バッテリーからの電力供給が連続して所定の時間以上なされていないと判定され、かつ、充電モードが長時間駆動モードである場合に、劣化軽減モードへの変更を促す情報を表示することしたが、電力供給が連続して行われていても、所定の時間以上行われていないと判定され、かつ、充電モードが長時間駆動モードであれば、劣化軽減モードへの変更を促す情報を表示することとしてもよい。
【００５２】
以上本発明について説明してきたが、本発明は上述した実施形態に限定されず、本発明の要旨を逸脱しない範囲内で各種の変形、修正が可能である。
【符号の説明】
【００５３】
１０…表示装置、１１…タイマー、１２…メインプロセッサ、１３…表示制御部、１４…表示部、１５…バッテリー、１６…電源回路、１７…保護素子、１８…スイッチング素子、１９…コントロール回路、２０…保護回路、２１…残量演算回路、２２…充電電圧設定部、３０，３１…アイコン、４０…充電モード選択受付画面。
【図１】
2013243833.tif 000003
【図２】
2013243833.tif 000004
【図３】
2013243833.tif 000005
【図４】
2013243833.tif 000006